(57)【要約】【課題】端子の保持力を確保でき、端子収容室内での端子の動きを抑制することができるコネクタを提供する。【解決手段】ハウジング３と、このハウジング３の内部に設けられた端子収容室５と、ハウジング３の一側面側から挿入され端子収容室５内に挿入される端子７とを備えたコネクタ１において、端子７が、ハウジング３の他側面側に配置される箱部９を有し、端子収容室５に、端子７が挿入される挿入方向と直交する方向の両側に撓み可能に箱部９に係合される一対の係止ランス１１，１１を設けた。【選択図】図７
2016031801.tif 000002
【特許請求の範囲】
【請求項１】
ハウジングと、このハウジングの内部に設けられた端子収容室と、前記ハウジングの一側面側から挿入され前記端子収容室内に挿入される端子とを備えたコネクタであって、
前記端子は、前記ハウジングの他側面側に配置される箱部を有し、
前記端子収容室には、前記端子が挿入される挿入方向と直交する方向の両側に撓み可能に前記箱部に係合される一対の係止ランスが設けられていることを特徴とするコネクタ。
【請求項２】
請求項１記載のコネクタであって、
前記一対の係止ランスには、前記端子の挿入方向に向けて傾斜された傾斜部がそれぞれ設けられ、
前記端子の箱部には、前記一対の係止ランスの傾斜部に係合される係止突起が設けられていることを特徴とするコネクタ。
【発明の詳細な説明】
【技術分野】
【０００１】
本発明は、コネクタに関する。
【背景技術】
【０００２】
従来、コネクタとしては、ハウジングと、このハウジングの内部に設けられた端子収容室としてのキャビティと、ハウジングの一側面側から挿入されキャビティ内に挿入される端子とを備えたものが知られている（例えば、特許文献１参照）。
【０００３】
このコネクタでは、キャビティ内の下方に撓み可能に係止ランスが設けられ、この係止ランスに端子に設けられた係止突部が係合されることにより、キャビティからの端子の抜け止めがなされている。
【先行技術文献】
【特許文献】
【０００４】
【特許文献１】特開２００４−３９４９８号公報
【発明の概要】
【発明が解決しようとする課題】
【０００５】
しかしながら、上記特許文献１のようなコネクタでは、端子収容室内の１箇所に設けられた係止ランスによって端子の抜け止めがなされているので、端子を端子収容室に保持する部分が少なく、端子の保持力を確保することが困難であり、振動などの外力が加わった場合、端子が端子収容室内で大きく動いてしまう可能性があった。
【０００６】
そこで、この発明は、端子の保持力を確保でき、端子収容室内での端子の動きを抑制することができるコネクタの提供を目的としている。
【課題を解決するための手段】
【０００７】
請求項１記載の発明は、ハウジングと、このハウジングの内部に設けられた端子収容室と、前記ハウジングの一側面側から挿入され前記端子収容室内に挿入される端子とを備えたコネクタであって、前記端子は、前記ハウジングの他側面側に配置される箱部を有し、前記端子収容室には、前記端子が挿入される挿入方向と直交する方向の両側に撓み可能に前記箱部に係合される一対の係止ランスが設けられていることを特徴とする。
【０００８】
このコネクタでは、端子収容室に、端子が挿入される挿入方向と直交する方向の両側に撓み可能に箱部に係合される一対の係止ランスが設けられているので、端子収容室内で端子が２箇所で係止され、端子収容室内における端子の保持力を確保することができる。
【０００９】
また、端子の箱部は、一対の係止ランスによって、挿入方向と直交する方向の両側から挟持されるように係止されるので、振動などの外力が加わったとしても、端子が端子収容室内で動くことを大幅に規制することができる。
【００１０】
従って、このようなコネクタでは、端子が端子収容室内で２箇所で係止されるので、端子の保持力を確保でき、端子収容室内での端子の動きを抑制することができる。
【００１１】
請求項２記載の発明は、請求項１記載のコネクタであって、前記一対の係止ランスには、前記端子の挿入方向に向けて傾斜された傾斜部がそれぞれ設けられ、前記端子の箱部には、前記一対の係止ランスの傾斜部に係合される係止突起が設けられていることを特徴とする。
【００１２】
このコネクタでは、端子の箱部に、一対の係止ランスの傾斜部に係合される係止突起が設けられているので、傾斜部と係止突起との互いの係合面が挿入方向と直交する方向で係合され、端子が端子収容室から抜け出すことを防止しつつ、端子の挿入方向と直交する方向の動きを確実に規制することができる。
【発明の効果】
【００１３】
本発明によれば、端子の保持力を確保でき、端子収容室内での端子の動きを抑制することができるコネクタを提供することができるという効果を奏する。
【図面の簡単な説明】
【００１４】
【図１】本発明の実施の形態に係るコネクタのハウジングの斜視図である。
【図２】本発明の実施の形態に係るコネクタのハウジングの断面図である。
【図３】図２の要部拡大図である。
【図４】（ａ），（ｂ）は本発明の実施の形態に係るコネクタの端子の斜視図である。
【図５】本発明の実施の形態に係るコネクタの端子の断面図である。
【図６】本発明の実施の形態に係るコネクタの正面図である。
【図７】本発明の実施の形態に係るコネクタの断面図である。
【図８】図７の要部拡大図である。
【発明を実施するための形態】
【００１５】
図１〜図８を用いて本発明の実施の形態に係るコネクタについて説明する。
【００１６】
本実施の形態に係るコネクタ１は、ハウジング３と、このハウジング３の内部に設けられた端子収容室５と、ハウジング３の一側面側から挿入され端子収容室５内に挿入される端子７とを備えている。
【００１７】
また、端子７は、ハウジング３の他側面側に配置される箱部９を有する。
【００１８】
そして、端子収容室５には、端子７が挿入される挿入方向と直交する方向の両側に撓み可能に箱部９に係合される一対の係止ランス１１，１１が設けられている。
【００１９】
また、一対の係止ランス１１，１１には、端子７の挿入方向に向けて傾斜された傾斜部１３，１３がそれぞれ設けられ、端子７の箱部９には、一対の係止ランス１１，１１の傾斜部１３，１３に係合される係止突起１５，１５が設けられている。
【００２０】
図１〜図８に示すように、ハウジング３は、合成樹脂などの絶縁性材料からなり、筐体状に形成されている。また、ハウジング３には、端子７のタブ状の接続部１７が挿入される箱状の接続部内に接点バネ部を有する雌型端子からなる相手端子（不図示）を収容する相手ハウジング（不図示）と嵌合可能なフード部１９が設けられている。
【００２１】
このハウジング３のフード部１９の底部側の内部には、複数の端子収容室５が形成され、各端子収容室５内に端子７を収容した状態で、フード部１９に相手ハウジングを嵌合することにより、端子７と相手端子とが電気的に接続される。
【００２２】
端子収容室５は、ハウジング３の幅方向に複数列配置されると共に、ハウジング３の高さ方向に２段配置されている。また、端子収容室５の中央部には、端子収容室５内に端子７が挿入された状態で、端子７を二重係止するスペーサ２１が挿入されるスペーサ挿入孔２３が上下の端子収容室５，５を貫通し下方に向けて開口されるように設けられている。
【００２３】
この端子収容室５には、ハウジング３の一側面側に設けられた端子挿入口２５から端子７が挿入され、ハウジング３の他側面側（フード部１９の底部側）に設けられたタブ挿通口２７から端子７のタブ状の接続部１７が挿通して端子７の箱部９が配置されるように端子７が収容される。
【００２４】
端子７は、導電性材料からなり、一端側に電源や機器などに接続された電線（不図示）に圧着されて電気的に接続される圧着部が設けられ、他端側に四角形状に形成された箱部９が設けられ、この箱部９の先端側に先細りとなるようにタブ状の接続部１７が設けられた雄型端子となっている。
【００２５】
この端子７は、端子収容室５内の正規位置に配置された状態で、タブ状の接続部１７がタブ挿通口２７を挿通し、タブ状の接続部１７がハウジング３のフード部１９内に配置される。
【００２６】
この状態で、ハウジング３のフード部１９に相手ハウジングを嵌合させることにより、タブ状の接続部１７が相手端子の箱状の接続部内に挿入され、タブ状の接続部１７と箱状の接続部内の接点バネ部とが接触することによって、端子７と相手端子とが電気的に接続される。
【００２７】
このようにハウジング３の複数の端子収容室５内に収容される複数の端子７は、各端子収容室５内に設けられた一対の係止ランス１１，１１がそれぞれ箱部９に係合することによって、端子収容室５からの端子７の抜け止めがなされている。
【００２８】
なお、箱部９の圧着部側の端部には、ハウジング３のスペーサ挿入孔２３から挿入されるスペーサ２１と係合されるスペーサ係止部２９が設けられ、端子７が端子収容室５に収容された状態で、スペーサ係止部２９がスペーサ２１に係合されることにより端子７が端子収容室５内で二重係止される。
【００２９】
一対の係止ランス１１，１１は、端子収容室５内の上下壁にそれぞれ上下方向に撓み可能に設けられている。なお、以下では、一対の係止ランス１１，１１のうち下側の係止ランス１１を基本として説明する。
【００３０】
この一対の係止ランス１１，１１の自由端側には、上部（上側の係止ランス１１では下部）が端子７の挿入方向前方側に位置され、下部（上側の係止ランス１１では上部）が端子７の挿入方向後方側に位置され、上部から下部（上側の係止ランス１１では下部から上部）にかけて下り傾斜となるように傾斜された傾斜部１３，１３がそれぞれ設けられている。
【００３１】
この一対の係止ランス１１，１１は、端子７が端子挿入口２５から挿入されると、上面側（上側の係止ランス１１では下面側）が端子７の箱部９と当接して下方（上側の係止ランス１１では上方）に向けて撓まされる。
【００３２】
そして、端子７が端子収容室５の正規位置に収容されると、上方（上側の係止ランス１１では下方）に向けて復元し、傾斜部１３，１３が箱部９に設けられた係止突起１５，１５に係合して端子７の端子収容室５からの抜け止めを行う。
【００３３】
なお、一対の係止ランス１１，１１の傾斜部１３，１３の前方（図８における左側）には、解除部３１，３１が延設されており、タブ挿通口２７側から治具などを挿入し、解除部３１，３１を下方（上側の係止ランス１１では上方）に向けて押圧することによって、一対の係止ランス１１，１１を下方（上側の係止ランス１１では上方）に向けて撓ませ、一対の係止ランス１１，１１による端子７の係止を解除することができる。
【００３４】
係止突起１５，１５は、端子７の箱部９の上下壁にそれぞれ貫通して設けられたランスホール３３，３３の縁部のうち端子７の挿入方向前方側の縁部に位置され、箱部９の外方に向けて突設されている。この係止突起１５，１５は、一対の係止ランス１１，１１の復元によってランスホール３３，３３内に挿入される傾斜部１３，１３に係合される。
【００３５】
このように一対の係止ランス１１，１１は、端子７の箱部９を上下方向から挟持するように係合されている。このため、端子７の端子収容室５からの抜け止めを行いつつ、端子７が端子収容室５内で上下方向に動くことを規制することができる。
【００３６】
このような一対の係止ランス１１，１１と端子７の箱部９との係合において、傾斜部１３，１３と係止突起１５，１５との係合は、傾斜部１３，１３が端子７の挿入方向前方に向けて傾斜されているので、互いの係合面が上下方向に係合されている。
【００３７】
このため、端子７の箱部９を上下方向から挟持する一対の係止ランス１１，１１の復元による保持力に加えて、傾斜部１３，１３と係止突起１５，１５との上下方向の係合により、さらに端子７が端子収容室５内で上下方向に動くことを規制することができる。
【００３８】
このように一対の係止ランス１１，１１によって端子７を上下方向の２箇所から係止することにより、端子収容室５に対する端子７の保持力を向上することができ、振動などの外力に対する端子収容室５内での端子７の動きを大幅に抑制することができる。
【００３９】
このようなコネクタ１では、端子収容室５に、端子７が挿入される挿入方向と直交する方向の両側に撓み可能に箱部９に係合される一対の係止ランス１１，１１が設けられているので、端子収容室５内で端子７が２箇所で係止され、端子収容室５内における端子７の保持力を確保することができる。
【００４０】
また、端子７の箱部９は、一対の係止ランス１１，１１によって、挿入方向と直交する方向の両側から挟持されるように係止されるので、振動などの外力が加わったとしても、端子７が端子収容室５内で動くことを大幅に規制することができる。
【００４１】
従って、このようなコネクタ１では、端子７が端子収容室５内で２箇所で係止されるので、端子７の保持力を確保でき、端子収容室５内での端子７の動きを抑制することができる。
【００４２】
また、端子７の箱部９には、一対の係止ランス１１，１１の傾斜部１３，１３に係合される係止突起１５，１５が設けられているので、傾斜部１３，１３と係止突起１５，１５との互いの係合面が挿入方向と直交する方向で係合され、端子７が端子収容室５から抜け出すことを防止しつつ、端子７の挿入方向と直交する方向の動きを確実に規制することができる。
【００４３】
なお、本発明の実施の形態に係るコネクタでは、一対の係止ランスが端子の挿入方向と直交する方向としての上下方向の両側に設けられているが、これに限らず、一対の係止ランスを左右方向の両側に設けるなど、端子の周方向で１８０度対向する点で引かれる直線上の両側に一対の係止ランスを設ければよい。
【００４４】
加えて、端子の挿入方向と直交する方向の両側に一対の係止ランスを設けるとしているが、必ずしも一対の係止ランスが挿入方向と直交する方向の両側にならなくともよく、端子の箱部を挟むように一対の係止ランスが設けられていればよい。
【００４５】
また、端子は、箱部の先端側にタブ状の接続部を有する雄型端子となっているが、これに限らず、箱部内に撓み可能に接点バネ部が設けられた雌型端子であってもよい。
【符号の説明】
【００４６】
１…コネクタ
３…ハウジング
５…端子収容室
７…端子
９…箱部
１１，１１…一対の係止ランス
１３…傾斜部
１５…係止突起
【図１】
2016031801.tif 000003
【図２】
2016031801.tif 000004
【図３】
2016031801.tif 000005
【図４】
2016031801.tif 000006
【図５】
2016031801.tif 000007
【図６】
2016031801.tif 000008
【図７】
2016031801.tif 000009
【図８】
2016031801.tif 000010